(57)【要約】【課題】  板状アンテナのアンテナ特性を保持しつつ、実装効率の向上を図る。【解決手段】  板状アンテナの中央部分を、略長方形状に切り欠き、空隙部１５を有するアンテナ１を形成する。このアンテナ１は、給電部１３から流れる電流が、各アンテナ素子１１，１２に分岐して流れるため、空隙部１５を設ける前の板状アンテナと同等の電気的な大きさを有する。このため、板状アンテナと同等のアンテナ特性を有する。そして、このアンテナを機器に設けた際に、該アンテナ１の空隙部１５に所定の部品を設置する。これにより、アンテナ特性を劣化させることなく、部品の実装効率の向上を図ることができる。【選択図】  図８
2005203904.tif 000002
【特許請求の範囲】
【請求項１】
線形状の第１のアンテナ素子と、線形状を有し、一端部及び他端部が、内周側に所定の空隙部を形成するように、上記第１のアンテナ素子の一端部及び他端部にそれぞれ接続された第２のアンテナ素子と、上記第１のアンテナ素子の一端部及び上記第２のアンテナ素子の一端部の接続点に接続された給電点と、上記第１のアンテナ素子の一端部及び上記第２のアンテナ素子の一端部の接続点と給電点との間に、直列的に接続されたインダクタとを備えたアンテナと、
上記各アンテナ素子の空隙部に設けられた所定の部品と
を有する携帯端末装置。
【請求項２】
線形状の第１のアンテナ素子と、線形状を有し、内周側に所定の空隙部を形成するように、一端部が上記第１のアンテナ素子の一端部に接続されると共に、他端部が、上記第１のアンテナ素子の他端部に、所定のギャップを介して近接して設けられた第２のアンテナ素子と、上記第１のアンテナ素子の一端部及び上記第２のアンテナ素子の一端部の接続点に対して接続された給電点と、上記第１のアンテナ素子の一端部及び上記第２のアンテナ素子の一端部の接続点と給電点との間に、直列的に接続されたインダクタとを備えたアンテナと、
上記アンテナの各アンテナ素子の空隙部に設けられた所定の部品と
を有する携帯端末装置。
【請求項３】
請求項１又は請求項２記載の携帯端末装置であって、
上記所定の部品は、上記アンテナの上下に位置する部材同士を、上記空隙部を介して螺旋止めする螺旋であること
を特徴とする携帯端末装置。
【請求項４】
請求項１又は請求項２記載の携帯端末装置であって、
上記所定の部品は、発光手段或いは表示手段であること
を特徴とする携帯端末装置。
【請求項５】
請求項１又は請求項２記載の携帯端末装置であって、
上記所定の部品は、ストラップ留め部材であること
を特徴とする携帯端末装置。
【請求項６】
線形状の第１のアンテナ素子と、
線形状を有し、一端部及び他端部が、内周側に所定の空隙部を形成するように、上記第１のアンテナ素子の一端部及び他端部にそれぞれ接続された第２のアンテナ素子と、
上記第１のアンテナ素子の一端部及び上記第２のアンテナ素子の一端部の接続点に接続された給電点と、
上記第１のアンテナ素子の一端部及び上記第２のアンテナ素子の一端部の接続点と給電点との間に、直列的に接続されたインダクタと
を有するアンテナ装置。
【請求項７】
線形状の第１のアンテナ素子と、
線形状を有し、内周側に所定の空隙部を形成するように、一端部が上記第１のアンテナ素子の一端部に接続されると共に、他端部が、上記第１のアンテナ素子の他端部に、所定のギャップを介して近接して設けられた第２のアンテナ素子と、
上記第１のアンテナ素子の一端部及び上記第２のアンテナ素子の一端部の接続点に対して接続された給電点と、
上記第１のアンテナ素子の一端部及び上記第２のアンテナ素子の一端部の接続点と給電点との間に、直列的に接続されたインダクタと
を有するアンテナ装置。
【請求項８】
請求項６又は請求項７記載のアンテナ装置であって、
上記第１のアンテナ素子及び第２のアンテナ素子は、それぞれ同じ電気長を有すること
を特徴とするアンテナ装置。
【発明の詳細な説明】
【技術分野】
【０００１】
本発明は、携帯電話機，ＰＨＳ電話機（Personal Handyphone System），ＰＤＡ装置（Personal Digital Assistant），無線通信モデム等に適用して好適な携帯端末装置及びアンテナ装置に関する。
【背景技術】
【０００２】
携帯電話機に板状アンテナを設ける場合、放射効率の良い箇所に設ける必要があることから、設ける箇所は、必然的に、筐体の端部近辺等に限られる。そして、この筐体の端部近辺等は、設置面積が小さいことから、板状アンテナ自体も小さくする必要がある。
【０００３】
しかし、板状アンテナを小さくすると共振周波数が高くなりアンテナ特性が劣化する。このため、従来は、図１２に示すように板状アンテナ１００のアンテナ素子の一部をメアンダ構造（meander）としている。このメアンダ構造とすることで、共振周波数を下げることができ、また、電気長を長くして所望のアンテナ特性を得ることが可能となる。
【０００４】
一方、以下の特許文献１に、環状の逆Ｆアンテナの一部を切り欠くことで「Ｃ字状」とし、一方の開放端を短絡し、他方の開放端に給電部を接続した構成とした携帯無線機用アンテナが開示されている。この携帯無線機用アンテナは、周囲長がλ／２となるように設計されており、プリント基板の影像を利用してループアンテナとして動作するようになっている。
【０００５】
【特許文献１】特開平８−２７４５３２公報（第２頁〜第３頁：図１）
【発明の開示】
【発明が解決しようとする課題】
【０００６】
しかし、板状アンテナをメアンダ構造とすると、アンテナ導体を流れる電流の経路が狭くなるため損失抵抗が高くなり、アンテナ特性が劣化する問題がある。
【０００７】
また、携帯電話機には、アンテナ素子以外の実装部品も多く、携帯電話機の使い勝手や実装効率、或いは機械的強度の観点からアンテナ素子の周辺にも部品が設けられるのが通常であり、また、図１３に示すように筐体やプリント基板等を固定するための螺旋や螺旋孔が設けられることも多い。この螺旋，螺旋孔や実装部品に干渉しないように板状アンテナを設けようとすると、図１３に示す板状アンテナ１０１のように、全長を短くする必要がある。板状アンテナの全長を短くすると、電気長が短くなるため、アンテナ特性が劣化する問題を生ずる。
【０００８】
同様に、螺旋孔や実装部品に干渉させずに板状アンテナを設けるために、図１４に示す板状アンテナ１０２のように、一部を切り欠いた形状とすると、全体的な形状が上記メアンダ構造のアンテナの形状に近い形状となるため、前述のようにアンテナ導体を流れる電流の経路が狭くなり、やはり、アンテナ特性が劣化する。
【０００９】
一方、上記特許文献１に開示されている携帯無線機用アンテナは、アンテナ素子の給電点から流れる電流がループの周囲に沿って流れ、細くなったアンテナ導体を高周波電流が流れることとなるため、アンテナとプリント基板とが近接し、アンテナの放射抵抗が低下した際に、アンテナ特性が劣化する問題を生ずる。
【００１０】
本発明は、上述の課題に鑑みてなされたものであり、アンテナ特性及び実装効率を共に向上させることができるような携帯端末装置及びアンテナ装置の提供を目的とする。
【課題を解決するための手段】
【００１１】
本発明は、線形状の第１のアンテナ素子と、線形状を有し、一端部及び他端部が、内周側に所定の空隙部を形成するように、上記第１のアンテナ素子の一端部及び他端部にそれぞれ接続された第２のアンテナ素子と、上記アンテナの第１のアンテナ素子の一端部及び上記第２のアンテナ素子の一端部の接続点に接続された給電点と、上記アンテナの第１のアンテナ素子の一端部及び上記第２のアンテナ素子の一端部の接続点と給電点との間に、直列的に接続されたインダクタと
を備えたアンテナを有する。
【００１２】
また、本発明は、線形状の第１のアンテナ素子と、線形状を有し、内周側に所定の空隙部を形成するように、一端部が上記第１のアンテナ素子の一端部に接続されると共に、他端部が、上記第１のアンテナ素子の他端部に、所定のギャップを介して近接して設けられた第２のアンテナ素子と、上記第１のアンテナ素子の一端部及び上記第２のアンテナ素子の一端部の接続点に対して接続された給電点と、上記第１のアンテナ素子の一端部及び上記第２のアンテナ素子の一端部の接続点と給電点との間に、直列的に接続されたインダクタとを備えたアンテナを有する。
【００１３】
また、本発明は、線形状の第１のアンテナ素子と、線形状を有し、内周側に所定の空隙部を形成するように、一端部が上記第１のアンテナ素子の一端部に接続されると共に、他端部が、上記第１のアンテナ素子の他端部に、所定のギャップを介して近接して設けられた第２のアンテナ素子と、上記第１のアンテナ素子の一端部及び上記第２のアンテナ素子の一端部の接続点に対して接続された給電点と、上記第１のアンテナ素子の一端部及び上記第２のアンテナ素子の一端部の接続点と給電点との間に、直列的に接続されたインダクタとを備えたアンテナを有する。
【発明の効果】
【００１４】
本発明は、給電部から流れる電流が、アンテナの各アンテナ素子に分岐して流れるため、空隙部が設けられていない板状アンテナと同等の電気的な大きさを有する。このため、板状アンテナと同等のアンテナ特性とすることができる。
【００１５】
そして、このアンテナの空隙部に実装部品を設置することで、このアンテナが設けられた機器の実装効率の向上を図ることができる。
【発明を実施するための最良の形態】
【００１６】
本発明は、無線基地局との間において、アンテナを介して音声や画像等の各データを無線的に送受信する携帯電話機に適用することができる。
【００１７】
〔電気的構成〕
この本発明の実施の形態となる携帯電話機は、図１に示すように無線基地局に対してデータの送受信を行うアンテナ１及び通信回路２と、受話音声，動画ファイルの音声，音楽データの音声等の音声出力を得るためのスピーカ部３と、送話音声等を集音するマイクロホン４と、待ち受け画像や携帯メールの文章等を表示する表示部５と、入力操作を行うための複数のキーが設けられた操作部６とを有している。
【００１８】
また、この携帯電話機は、所望の被写体を撮像するカメラ部７と、カメラ部７の撮像制御を行う撮像制御部８と、通信アプリケーションプログラムやＷｅｂブラウザのアプリケーションプログラム等のプログラムが記憶されたＲＯＭ９と、電話帳やスケジュール帳のデータや、送受信される携帯メールの文章、さらにはカメラ部７で撮像された静止画像や動画像等の各種データが記憶されるＲＡＭ１０と、制御ライン、及び／又は、データラインを介して上記各部２〜１０と相互に接続された制御部１１とを有している。
【００１９】
〔アンテナの構成〕
アンテナ１は、図２に示すように線形状の第１のアンテナ素子１１と、同じく線形状を有し、一端部１２ａ及び他端部１２ｂが、上記第１のアンテナ素子１１の一端部１１ａ及び他端部１１ｂに、それぞれ接続された第２のアンテナ素子１２と、上記第１のアンテナ素子１１及び上記第２のアンテナ素子１２の各一端部１１ａ，１２ａ同士の接続点に接続された給電部１３と、上記各アンテナ素子１１，１２の接続点と上記給電部１３の間に直列的に挿入接続されたインダクタ１４とを有している。
【００２０】
換言すれば、アンテナ１は、板状アンテナの内部を、外周部分を残してくり抜くことで内部に空隙部１５を設けた形状を有している。なお、この空隙部１５を設ける前のアンテナ１の全体的な大きさ、及び空隙部１５を設けた後のアンテナ１の全体的な大きさは同じであるものとする。
【００２１】
また、別体となる第１のアンテナ素子１１と第２のアンテナ素子１２とを溶接する等して、物理的に一つのアンテナ１を形成してもよいし、一枚の板状部材の中央部分を、上記空隙部１５を設けるように切り欠くことで、結果的に第１のアンテナ素子１１と第２のアンテナ素子１２とを接続したかたちのアンテナ１が形成されるようにしてもよい。
【００２２】
各アンテナ素子１１，１２は、それぞれ同じ電気長となるように、物理的に同じ長さを有している。また、図３に符号Ｗとして示す各アンテナ素子１１，１２の幅は、例えば「λ／６００」ｍｍとなっている。これは、当該携帯電話機が、例えば１ＧＨｚの周波数帯域で用いられ、その波長λが３００ｍｍである場合、アンテナの幅Ｗは、０．５ｍｍとなることを意味する（λ／６００＝０．５ｍｍ／３００ｍｍ）。また、インダクタ１４としては、例えば１ＧＨｚの通信周波数帯域に対して７０程度のＱ値（共振の鋭さを表す量）を有するものが設けられている。
【００２３】
〔アンテナの特徴〕
このような構成を有するアンテナ１は、給電点１３からの電流が、プリント基板及びシールドボックスの外皮を地導体とし、インダクタ１４（整合回路）を介して各アンテナ素子１１，１２に流れることで、該各アンテナ素子１１，１２に対する給電が行われている。
【００２４】
各アンテナ素子１１，１２を流れる高周波電流は、アンテナ素子の寸法（全長）が波長に対して無視できない大きさになると、その端部に集中する。このため、アンテナ素子１１，１２の中央内部を流れる電流の大きさは小さく、各アンテナ素子１１，１２を例えば「銅」等の導体抵抗が小さな部材を用いて形成すれば、空隙部１５の有無にかかわらず、ほとんどアンテナ特性は変化しない。
【００２５】
これは、図１に矢印で示すように、給電部１３から流れる電流が、各アンテナ素子１１，１２に分岐して流れることで、空隙部１５の有無にかかわらず、アンテナの電気的な大きさが略々一定とみなせるようになるからである（＝当該アンテナ１と同じ物理的な大きさを有し、空隙部１５が設けられていない板状アンテナと同等の電気的な大きさを有する。）。
【００２６】
図４に、このアンテナ１のアンテナ特性、及びメアンダ構造のアンテナのアンテナ特性を示す。この図４は、横軸が共振周波数（ＧＨｚ）、縦軸が放射効率（ｄｂ）となっており、実線で示すグラフが当該アンテナ１のアンテナ特性を示し、点線で示すグラフがメアンダ構造のアンテナのアンテナ特性を示している。
【００２７】
また、実線で示す当該アンテナ１のアンテナ特性を示すグラフは、各アンテナ素子１１，１２の幅Ｗが０．２５ｍｍ、０．５ｍｍ、１ｍｍ、２ｍｍの場合のアンテナ特性を示す他、空隙部１５が設けられていない板状アンテナのアンテナ特性を示している。すなわち、各アンテナ素子１１，１２の幅Ｗが０．２５ｍｍ〜２ｍｍの各場合のアンテナ特性を示すグラフと、空隙部１５が設けられていない板状アンテナのアンテナ特性を示すグラフは、略々１本のグラフとして重なっている。
【００２８】
この図４から、当該アンテナ１は、空隙部１５が設けられていない板状アンテナと略々同様のアンテナ特性を有し、メアンダ構造としたアンテナよりも良好なアンテナ特性が得られることがわかるであろう。また、空隙部１５の有無にかかわらず、さらには、各アンテナ素子１１，１２の幅Ｗを０．２５ｍｍ〜２ｍｍの間で変化させた場合でも、共振周波数及び放射効率が、ほとんど変化しないことがわかるであろう。
【００２９】
（ギャップを設けた場合）
次に、以上の説明では、各アンテナ素子１１，１２の各端部同士１１ａ，１２ａ及び１１ｂ，１２ｂはそれぞれ接続されていることとしたが、これは、図５に示すように例えば各アンテナ素子１１，１２の他端部１１ｂ，１２ｂ同士を接続せずに、所定のギャップ１６を介して該各他端部１１ｂ，１２ｂを近接させるようにしてもよい。
【００３０】
この図５に示すアンテナ１は、前述のように接続されている各アンテナ素子１１，１２の上記他端部１１ｂ，１２ｂの接続点に、ギャップ１６を設けるように切り欠きを設けたものである。
【００３１】
なお、この図５の例は、各アンテナ素子１１，１２の長さが同じ長さとなるようにギャップ１６を設けたものであった。換言すれば、図５に示すように当該アンテナ１の他端部１ｂの略々中央部分に切り欠き（ギャップ１６）を設けたものであった。しかし、このギャップ１６は、上記他端部１ｂの略々中央部分に設ける必要はなく、例えば図６に示すようにアンテナ素子１２側に近くなるように設けてもよいし、反対にアンテナ素子１１側に近くなるように設けてもよい。
【００３２】
図７に、ギャップ１６を設けたアンテナ１のアンテナ特性、ギャップ１６が設けられていないアンテナ１のアンテナ特性、及びメアンダ構造のアンテナのアンテナ特性を示す。この図７は、図４と同様に、横軸が共振周波数（ＧＨｚ）、縦軸が放射効率（ｄｂ）となっており、実線で示すグラフがギャップ１６が設けられていないアンテナ１のアンテナ特性（＝図４）を示し、一点鎖線で示すグラフがギャップ１６が設けられｔアンテナ１のアンテナ特性を示し、点線で示すグラフがメアンダ構造のアンテナのアンテナ特性を示している。
【００３３】
また、実線で示すギャップが設けられていないアンテナ１のアンテナ特性を示すグラフは、各アンテナ素子１１，１２の幅Ｗが０．２５ｍｍ、０．５ｍｍ、１ｍｍ、２ｍｍの場合のアンテナ特性を示す他、空隙部１５が設けられていない板状アンテナのアンテナ特性を示している。すなわち、各アンテナ素子１１，１２の幅Ｗが０．２５ｍｍ〜２ｍｍの各場合のアンテナ特性を示すグラフと、空隙部１５が設けられていない板状アンテナのアンテナ特性を示すグラフは、略々１本のグラフとして重なっている。
【００３４】
また、一点鎖線で示すギャップ１６が設けられたアンテナ１のアンテナ特性を示すグラフは、幅Ｗが０．２５ｍｍのアンテナ素子を用い、０．７５ｍｍのギャップ１６を設けた場合のアンテナ特性を示すグラフである。
【００３５】
この図７から、ギャップ１６を設けた場合でも、ギャップの設けられていないアンテナ１と比べ、共振周波数及び放射効率が、ほとんど変わらないことがわかるであろう。
【００３６】
〔部品の実装〕
このように、当該アンテナ１は、空隙部１５やギャップ１６を設けたにもかかわらず、空隙部１５やギャップ１６が設けられていない板状アンテナと略々同様のアンテナ特性を有する。これは、アンテナ特性を劣化させることなく、空隙部１５を設けることが可能となることを意味する。
【００３７】
このため、当該携帯電話機では、この空隙部１５を所定の部品の設置スペースとして利用し、例えば図８に示すように、アンテナ特性を劣化させることなく、波長に対して小さく、かつ、プリント基板のグランドに高周波的に接続されていない金属の部品、或いは樹脂で形成された部品等の所定の部品３０を設置することで、実装効率の向上を図っている。なお、この図８において、符号２１〜符号２３は、それぞれプリント基板２１，シールドボックス２２，バッテリー２３となっている。このプリント基板２１〜バッテリー２３は、アンテナ１を含め、当該携帯電話機の筐体内に収納設置されるものである。
【００３８】
この空隙部１５の設置スペースを利用して設置する部品としては、図９に示すように樹脂で形成されたストラップ留め部品２５を設けるようにしてもよい。このストラップ留め部品２５は、通常、携帯電話機の端部側に設けられることが多い。
【００３９】
この図９に示す例は、樹脂ケース２４とプリント基板２１とを合わせた際に、丁度、アンテナ１の空隙部１５にストラップ留め部品２５が収納されるように、該樹脂ケース２４の端部にストラップ留め部品２５を設けたものである。
【００４０】
ストラップ留め部品２５は、強度を必要とすることから、その大きさも大きくなり、設ける箇所も考える必要があるが、上記アンテナ１の場合、空隙部１５を有しているため、この空隙部１５に収納するかたちで該ストラップ留め部品２５を設けることができる。
【００４１】
このため、ストラップ留め部品２５とアンテナ１とを同じ位置に設けることができ、携帯電話機の設計の自由度や組み立ての簡素化に貢献することができる。
【００４２】
また、図１０に示すように樹脂ケース２４と、プリント基板２１とを螺旋止めする際に、アンテナ１の空隙部１５を利用するようにしてもよい。この場合、螺旋２６は、樹脂ケース２４の一端部近辺に設けられた螺旋孔２４ａ及びアンテナ１の空隙部１５を介して、プリント基板２１の一端部近辺に設けられた螺旋孔２１ａに係合することとなる。
【００４３】
螺旋孔は、プリント基板２１や樹脂ケース２４の端部近辺に設けられることが多く、放射効率を考慮して筐体の端部に設けられるアンテナと、その設ける位置が同じとなる。しかし、当該アンテナ１の空隙部１５に螺旋２６を通すことができるため、螺旋止めの位置にアンテナ１を設けることができ、携帯電話機の設計の自由度や組み立ての簡素化に貢献することができる。
【００４４】
また、図１１に示すように、アンテナ１の空隙部１５を表示部として用いてもよい。この場合、アンテナ１が設けられるプリント基板２１上の位置に、例えば液晶表示部（ＬＣＤ）や発光ダイオード（ＬＥＤ）等の表示部３５を設ける。また、この樹脂ケース２４の、上記表示部３５と相対向する位置に透明樹脂で形成された表示窓２９を設ける。
【００４５】
これにより、アンテナ１の空隙部１５及び樹脂ケース２４の表示窓２９を介して、表示部３５の表示内容や発光色を認識することができる。
【００４６】
〔実施の形態の効果〕
以上の説明から明らかなように、この実施の形態の携帯電話機は、板状アンテナの中央部分を切り欠いて空隙部１５（及びギャップ１６）を設けたアンテナ１が設けられている。このアンテナ１は、給電部１３から流れる電流が、各アンテナ素子１１，１２に分岐して流れるため、空隙部１５が設けられていない板状アンテナと同等の電気的な大きさを有する。このため、メアンダ構造のアンテナを設けた場合に比べ、大幅なアンテナ特性の向上を図ることができる。
【００４７】
また、アンテナ１の空隙部１５に所定の部品を設置することができ、また、アンテナ特性を劣化させることなく、上下の基板を螺旋止め可能とすることができる。このため、部品の実装効率の向上を図ることができる。
【００４８】
さらに、プリント基板２１に設けられた表示部３５を、当該携帯電話機の筐体外から、空隙部１５を介して視認可能とすることができる。
【００４９】
〔変形例〕
なお、上述の実施の形態の説明では、本発明を携帯電話機に適用することとしたが、本発明は、無線通信を行う機器であれば、この携帯電話機の他、ＰＨＳ電話機（Personal Handyphone System），ＰＤＡ装置（Personal Digital Assistant），無線通信モデム等に適用してもよい。
【００５０】
最後に、上述の実施の形態は本発明の一例である。このため、本発明は、上述の実施の形態に限定されることはなく、該実施の形態以外であっても、本発明に係る技術的思想を逸脱しない範囲であれば、設計等に応じて種々の変更が可能であることは勿論であることを付け加えておく。
【図面の簡単な説明】
【００５１】
【図１】本発明を適用した実施の形態となる携帯電話機のブロック図である。
【図２】上記携帯電話機に設けられているアンテナの構成を示す図である。
【図３】上記アンテナを構成するアンテナ素子の幅を説明するための図である。
【図４】空隙部を設けた上記アンテナのアンテナ特性を説明するための図である。
【図５】ギャップを有する上記アンテナの構成を説明するための図である。
【図６】他の位置に上記ギャップが設けられたアンテナの構成を説明するための図である。
【図７】空隙部及びギャップを設けた上記アンテナのアンテナ特性を説明するための図である。
【図８】上記アンテナの空隙部に所定の部品を設置した例を示す斜視図である。
【図９】上記アンテナの空隙部にストラップ留め部品を設置した例を示す斜視図である。
【図１０】上記アンテナの空隙部を介して螺旋止めされる上下の基板を説明するための斜視図である。
【図１１】上記プリント基板上のアンテナが設けられる位置に表示部を設け、この表示部の表示内容を、アンテナの空隙部を介して視認する例を説明するための斜視図である。
【図１２】メアンダ構造の板状アンテナのアンテナ素子を示す図である。
【図１３】携帯電話機の筐体やプリント基板等を固定するための螺旋や螺旋孔を説明するための斜視図である。
【図１４】螺旋孔や実装部品に対する干渉を防止するために、一部を切り欠いた形状とした板状アンテナを示す斜視図である。
【符号の説明】
【００５２】
１  アンテナ、２  通信回路、３  スピーカ部、４  マイクロホン部、５  表示部、６  操作部、７  カメラ部、８  撮像制御部、９  ＲＯＭ、１０  ＲＡＭ、１１  第１のアンテナ素子、１２  第２のアンテナ素子、１３  給電部、１４  インダクタ（整合回路）、１５  空隙部、１６  ギャップ、１７  制御部、２１  プリント基板、２２  シールドボックス、２３  バッテリ、２４  樹脂ケース、２５  ストラップ留め部品、２６  螺旋、３５  表示部
【図１】
2005203904.tif 000003
【図２】
2005203904.tif 000004
【図３】
2005203904.tif 000005
【図４】
2005203904.tif 000006
【図５】
2005203904.tif 000007
【図６】
2005203904.tif 000008
【図７】
2005203904.tif 000009
【図８】
2005203904.tif 000010
【図９】
2005203904.tif 000011
【図１０】
2005203904.tif 000012
【図１１】
2005203904.tif 000013
【図１２】
2005203904.tif 000014
【図１３】
2005203904.tif 000015
【図１４】
2005203904.tif 000016